(57)【要約】      （修正有）【課題】押し切り式の裁断機に関して裁断時に予想される被裁断物の裁断箇所がずれて裁断してしまうことを防止するものであり、裁断されるべき裁断箇所が予め明確になる裁断機のガイドシートの提供をする。【解決手段】押し切り式の裁断機のガイドシート４であって、裁断機は被裁断物を載置する載置台１の側辺部に下刃を有し、被裁断物を裁断するカッター部２には上刃を有し、載置台上には被裁断物を抑える抑え部３を有する押し切り式の裁断機であり、該抑え部と着脱自在に係止し抑え部の底を介して載置台の下刃の端辺部まで及ぶ。【選択図】図４
0003225627.tif 000002
【実用新案登録請求の範囲】
【請求項１】
押し切り式の裁断機のガイドシート４であって、
裁断機は被裁断物を載置する載置台１の側辺部に下刃１０を有し、被裁断物を裁断するカッター部２には上刃２０を有し、載置台１上には被裁断物を抑える抑え部３を有する押し切り式の裁断機であり、
該抑え部３と着脱自在に係止し抑え部３の底を介して載置台１の下刃１０の端辺部まで及ぶガイドシートからなることを特徴とする裁断機のガイドシート。
【請求項２】
略L字状に折り込んだ長尺短手幅の側壁部分の短手の面４１と長尺長手幅のガイド部分からなる長手の面４２とを有するガイドシート４であって、
抑え部３と長尺短手幅の側壁部分の短手の面４１とが着脱自在に係止すると共に、長手の面４２の長尺長手幅のガイド部分が載置台１の下刃１０の端辺部まで及ぶガイドシート４であることを特徴とする請求項1記載の裁断機のガイドシート。
【請求項３】
抑え部３と長尺短手幅の側壁部分の短手の面４１との着脱自在の係止が少なくとも２か所以上の個所で係止具を用いて係止するものであることを特徴とする請求項１又は２のいずれかに記載の裁断機のガイドシート。
【請求項４】
抑え部３と着脱自在に係止するガイドシート４が、螺子部３１により着脱自在に係止するものであることを特徴とする請求項１乃至３のいずれかに記載の裁断機のガイドシート。
【請求項５】
ガイドシート４が樹脂製のシートからなることを特徴とする請求項１乃至４のいずれかに記載の裁断機のガイドシート。
【請求項６】
ガイドシート４が色彩を有するシートからなることを特徴とする請求項１乃至５のいずれかに記載の裁断機のガイドシート。
【請求項７】
載置台１の下刃１０の端辺部を超える長さの長手の面４２を有するガイドシート４を裁断機に装着することを特徴とする請求項１乃至６のいずれかに記載の裁断機のガイドシート。
【考案の詳細な説明】
【技術分野】
【０００１】
本考案は、押し切り式の裁断機で裁断する紙の被裁断物を適切な裁断位置に位置させるための裁断機のガイドに関する。
【背景技術】
【０００２】
紙等を裁断するための押し切り式の紙裁断機に関しては被裁断物を載置する載置台と、載置した紙を押し切るためのアーム状のカッターである上刃と載置台の端部の下刃とで裁断する裁断機により紙を切断する。
この場合被裁断物の裁断位置は載置台上に設けた目盛りやカッターの上刃と載置台の端部の下刃との接触部である載置台の端部を目印として裁断部位を見極めて裁断するものである。
従って裁断すべき箇所や裁断後の形状を考慮して必要個所を定め被裁断物を載置台に乗せた上でアーム状のカッターで押し切る。
【０００３】
この場合裁断機としては例えば、実開昭６２−４２９９２号（特許文献１）に示す裁断機が存在する。
係る構成は載置台の上辺部にスケールを設けると共にスライド式のカーソルを設けたものである。
更にナイフ用のペーパーカッターの際置台に目盛りを有する構成が示されている実開平２−９７号（特許文献２）も存在する。
又、実開昭５２−１１２５９０号（特許文献３）に載置台上にスケールを有する構成が示されている。
又、載置台上が暗いことにより被裁断物の裁断個所などがよく視認できるように載置台を明るくする構成として実開昭６０−１７９９７号（特許文献４）や実開平４−２５９８号（特許文献５）が存在する。
【先行技術文献】
【特許文献】
【０００４】
【特許文献１】実開昭６２−４２９９２号
【特許文献２】実開平２−９７号
【特許文献３】実開昭５２−１１２５９０号
【特許文献４】実開昭６０−１７９９７号
【特許文献５】実開平４−２５９８号
【考案の概要】
【考案が解決しようとする課題】
【０００５】
以上の様に、押し切り式の紙裁断機に関しては被裁断物を載置する載置台の被裁断物を裁断するアーム状のカッターである上刃と載置台の端部の下刃とで裁断するものである。      
【０００６】
従ってこの裁断箇所がずれてしまうと被裁断物が所望の形状とはならず、また誤った位置での裁断は、修正ができない場合が多く、別の被裁断物を用いることが必要となりかねない。
このことから裁断位置をきっちりと所望の位置に併せるために目盛りを設けるものや裁断箇所を明るくするなどの方策によって位置決めの精度を上げる方策がとられていた。
【０００７】
しかし、例えば載置台の目盛りを用いた場合にも所望の裁断位置がずれてしまうことは多々あるものである。
又、カッターの上刃と載置台の端部の下刃との接触部である載置台の端部を目印として裁断部位を特定して裁断することが目視上最も裁断箇所を見極めやすいものと考えられ、その位置に併せて裁断する方法がとられる。
しかし、切断するためのカッターはアーム状のカッターである上刃を用いるものであり、載置台の一点を支点として押し切るものであることから被裁断物のカッターとの裁断点は該支点に近いポイントから徐々に該アームの把持している個所に近いポイントに移動しつつ裁断するものであり、裁断箇所が予め目視している位置から徐々にずれていくことが多い。
従ってこのずれをなくすために被裁断物をずれないように上部から押し付けるための抑え台を用いる場合もあるが、裁断時の被裁断物のずれは極めて徐々に起きるものであることからどうしても被裁断物の裁断後の形状が所望の形状からずれてしまうことが多くあった。
【０００８】
更に裁断するアーム状のカッターである上刃は若干円弧状にアールを有しているものもあり、直線的に切断しようとしても切断後の切断個所が若干予定箇所よりもずれてしまうこともあった。
従って、被裁断物が所望の形状となるように被裁断物を所定の位置にて位置させることができることが望まれていると共に裁断後の形状を予め把握できるような紙裁断機のガイドが望まれているものである。
【課題を解決するための手段】
【０００９】
以上のように係る課題を見事に解決するため、請求項１に係る考案は、押し切り式の裁断機のガイドシートであって、裁断機は被裁断物を載置する載置台の側辺部に下刃を有し、被裁断物を裁断するカッター部には上刃を有し、載置台上には被裁断物を抑える抑え部を有する押し切り式の裁断機であり、該抑え部と着脱自在に係止し抑え部の底を介して載置台の下刃の端辺部まで及ぶガイドシートからなる裁断機のガイドシートを提供するものである。
【００１０】
更に請求項２に係る考案は、略L字状に折り込んだ長尺短手幅の側壁部分の短手の面と長尺長手幅のガイド部分からなる長手の面とを有するガイドシートであって、抑え部と長尺短手幅の側壁部分の短手の面とが着脱自在に係止すると共に、長尺長手幅のガイド部分が載置台の下刃の端辺部まで及ぶガイドシートである裁断機のガイドシートであり、係る考案であってもよい。
更に請求項３に係る考案のように、抑え部と長尺短手幅の側壁部分の短手の面との着脱自在の係止が少なくとも２か所以上の個所で係止具を用いて係止する裁断機のガイドシートであってもよい。
【００１１】
又、請求項４に係る考案のように、該抑え部と着脱自在に係止するガイドシートが、螺子部により着脱自在に係止する裁断機のガイドシートを用いてもよい。
これらの場合、請求項５に係る考案のようにガイドシートが樹脂製のシートからなる裁断機のガイドシートでもよい。
【００１２】
更に、請求項６に係る考案のようにガイドシートが色彩を有するシートからなる裁断機のガイドシートを用いてもよい。
これらの他、請求項７に係る考案のように、載置台の下刃の端辺部を超える長さの長手の面を有するガイドシートを裁断機に装着する裁断機のガイドシートを用いてもよい。
【考案の効果】
【００１３】
以上のように構成したことからまず請求項１に係る考案によりガイドシートを載置台の下刃の端辺部まで及ぶガイドシートを用いることができ、このガイドシートは抑え部に係止しているものであることからカッター部で裁断することによって、このガイドシートに裁断箇所が表出され、抑え部に設置したガイドシートの裁断箇所を目印として被裁断物の裁断場所の特定ができることとなる。
従って裁断すべき被裁断物の裁断箇所を確実に特定認識できるものとなる。
【００１４】
請求項２に係る考案によってガイドシートを略L字状に形成し、抑え部と短手の面とを着脱自在に係止することから裁断機にきっちりとガイドシートを設置でき、他方長手の面によって裁断箇所を特定して認識できるものとなる。
更に請求項３に係る考案によって抑え部とガイドシートの短手の面とが複数個所で係止されることとなりずれなどを生じさせにくいガイドシートの配設ができる。
又、請求項４に係る考案によって螺子部をもってガイドシートを装着できることとなり、簡単かつ確実なる装着を可能とする。
【００１５】
更に、請求項５に係る考案によって使いやすくかつ装着がしやすい樹脂製シートを用いることができる。
或いは請求項６に係る考案によってガイドシートに色彩付シートを用いることができ、裁断箇所をしっかりと視認しやすくかつ裁断箇所を特定認識し易いガイドシートを用いることができる。
又、請求項７に係る考案によりガイドシートの長手の面の長さを確実に上刃と下刃の裁断箇所にまで及ぶガイドシートを用いることができるものとなる。
【図面の簡単な説明】
【００１６】
【図１】本考案に係る裁断機のガイドシートを用いた裁断機の一例を示す図
【図２】本考案に係る裁断機のガイドシートを用いた裁断機の斜視図の一例を示す図
【図３】本考案に係る裁断機のガイドシートの一例を示す図
【図４】本考案に係る裁断機のガイドシートと螺子部と抑え部の装着状態を示す図
【図５】本考案に係る裁断機のガイドシートを裁断機に装着したうえでカッター部を用いてガイドシートの長尺長手幅のガイド部分を裁断箇所とするための手順の一例を示す図
【図６】本考案に係る裁断機のガイドシートを裁断機に装着したうえでカッター部を用いてガイドシートの長尺長手幅のガイド部分を裁断箇所とするための手順の一例を示す図
【図７】本考案に係る裁断機のガイドシートを裁断機に装着したうえでカッター部を用いてガイドシートの長尺長手幅のガイド部分を裁断箇所とするための手順の一例を示す図
【図８】安全ガードカバーを有する裁断機に本考案に係る裁断機のガイドシートを用いた一例を示す図
【考案を実施するための形態】
【００１７】
図１は、本考案に係る裁断機のガイドを用いた状態の裁断機の全体像の一例を示す図である。
この裁断機には被裁断物を載置する載置台１と被裁断物を裁断するためのアーム状のカッターである上刃２０を有するカッター部２とを有する。
載置台１のカッター部２方向の端辺部分には下刃１０を有する。
更に裁断台に被裁断物を載置した際に被裁断物を抑えるための抑え部３を有する。
従って基本構成として載置台１上に被裁断物を載置して、抑え部３により被裁断物を抑えつつカッター部２を用いて上刃２０と下刃１０とにより裁断するものである。
抑え部３にはその一側面に２か所螺子部３１を有しており、この螺子部３１には略Ｌ字状の長尺状のガイドシート４が螺合している。
この略Ｌ字状の長尺状のガイドシート４は、長方形状のシート地の短手辺部分を折り込んで横断面略Ｌ字状に視認できる長尺状のガイドシート４であって折り込みに両側にそれぞれ短手方向の面４１と長手方向の面４２とを有する。
【００１８】
該抑え部３は、載置台１の下刃１０方向であって、カッター部２の下刃２０及び載置台１の端辺と平行な長尺状の直方体からなる抑え部３である。
この抑え部３の載置台１のカッター部２を有する面の反対面である側面に該螺子部３１を２か所有しており、該螺子部３１に横断面略Ｌ字状に視認できる長尺状のガイドシート４の短手方向の面４１が抑え部３に螺合している。
横断面略Ｌ字状に視認できる長尺状のガイドシート４の長手方向の面４２は、抑え部３の底即ち載置台１と抑え部３との接触面の間に配置されるものとなる。
【００１９】
従って抑え部３に螺子部３１をもってガイドシート４を螺合して配設するものであるが、まずこの最初の段階であるガイドシート４の抑え部３への配置の段階では少なくとも、ガイドシート４の長手方向の面４２は載置台１の下刃１０よりも外部に突出していることが必要である。
このようにまずガイドシート４を抑え部３に配設し、抑え部３の螺子部３１を用いてガイドシート４の短手の面４１を所定個所にねじ止めする。
更に該抑え部３でガイドシート４を抑えた状態でカッター部２を用いてガイドシート４自体を裁断する。
【００２０】
これは、カッター部２の上刃２０と載置台１の端部の下刃１０との接触によりガイドシート４自体が裁断されるものである。
従ってガイドシート４の配設の段階では少なくとも、ガイドシート４の長手方向の面４２は載置台１の下刃１０よりも外部に突出していることが必要である。
この箇所は再度カッター部２の把持部２１をもって再度上刃２０を下した場合でも抑え部３にねじ止めしているガイドシート４の裁断箇所は変わらず一定の裁断状態を表出することとなる。
【００２１】
例えばこのガイドシート４に赤色等の着色したシート地を用いた場合には裁断箇所がより明確に視認でき、係る裁断箇所が被裁断物を裁断する箇所であることが明確となる。
係る状態で、被裁断物をこの抑え部３と載置台１との間に入れて装着した場合には、該ガードシート４の裁断箇所が被裁断物を裁断する箇所となるものであって、被裁断物の裁断後の形状をあらかじめ特定できる。
従って被裁断物の裁断箇所を予め認識できることとなり、ガイドシート４の裁断箇所に被裁断物の裁断すべき箇所に合わせれば該箇所で被裁断物の裁断ができる。
【００２２】
これにより被裁断物の裁断時における箇所が明確となると共に所望の個所で裁断できるガイドシート４を提供できるものである。
尚、ガイドシート４は例えば赤色のシート地を示したが、これに限らず裁断箇所であるガイドシート４の裁断箇所が明確となる色や材質等を有するものであればよく、これらを用いれば視認しやすいものとなる。
もとより裁断箇所が明確となるのであれば透明のシートや半透明のシートなどを用いるものであってもよい。
【００２３】
尚、本図構成では抑え部３の支点方向には連結板３２を有しており、この連結板３２にはさらにカッター部方向に突出棒３３を有している。
この突出棒３３は、カッター部の背側方向に突出としている。
従ってカッター部２を押し上げるとこの突出棒３３にあたり、この突出棒３３を上部方向に移動させる。
またこの突出棒３３と連接する連結板３２はダンパー３５により載置台１方向に付勢されている。
従ってこの突出棒３３の移動に伴い抑え部３も上部方向に移動する。
【００２４】
逆にカッター部２を押し下げると、上刃２０が下刃１０方向に向かい、両者が擦れ合うことにより被裁断物の裁断がなされるが、カッター部２が最も上がった状態から押し下げることによりダンパーの付勢に伴いこの突出棒３３も下方方向に移動することとなり、抑え部３も抑え方向即ち載置台１方向に移動するものとなり被裁断物を抑えることができる。
【００２５】
更にカッター部２を押し上げるとカッター部２の上刃２０と下刃１０が離れる状態に移行するものとなる。
これに伴い、この突出棒３３を介して抑え部３も抑え方向から載置台１から離れる方向に移動し、被裁断物の抑えを解くものとなる。
従って被裁断物を裁断時に抑え部３で抑えることができ、裁断時のずれなどを防止できる。
【００２６】
図２は、本考案に係る裁断機のガイドシート４を用いている状態の押し切り式の裁断機の一例の斜視図である。
本図に示すように、被裁断物を抑えるための抑え部３にガイドシート４が螺子部３１によってねじ止めされている。
このガイドシート４の短手の面４１は抑え部３の裁断部の反対面に位置する側面にねじ止めされているものであり、載置台１の端辺と平行な長尺状の直方体からなる抑え部３の載置台の中央方向に向いている側面にねじ止めされている。
更にガイドシート４は長尺状の直方体からなる該抑え部３の底面方向に屈曲しており、載置台の下刃１０の端辺部迄長手の面４２は及んでいるものである。
【００２７】
特に使用開始時にカッター部２を用いて上刃２０と下刃１０で設置したガイドシート４を裁断することにより、裁断箇所としてガイドシート４の長手の面４２の端辺部が位置することとなり、該部分に併せてガイドシート４が裁断され裁断部分の端辺部分が明確となる。
従って該部分を裁断辺部分と認識できることからこの部分がガイド部として機能することとなり、被裁断物の裁断したい部分を併せて裁断することにより被裁断物の裁断を裁断箇所がずれることや誤ることなく行える。
【００２８】
尚、本機器においては抑え部３とカッター部２とが突出棒３３を介して連動するものであるが、この構成に限らず単に抑え部３のみ可動するものであってもよい。
更にガイドシート４は抑え部３に螺子止めしているがこれに限らず、抑え部３に突出部又は鉤状部等の係止部を有し、この部分に合致するガイドシートの該部分に孔等を有するものを用いて着脱自在に係止するものであればよい。
【００２９】
更に本図上、抑え部３の螺子部３１は２か所あり、二か所に螺子でガイドシート４が螺着しているものであり、ガイドシート４の螺子止めの孔の部分も２か所有している。
しかしこの２か所構成に限らず、３か所以上で螺合するものであってもよい。
又、例えば一か所で螺合するものであってもよい。
この他螺子止めする箇所の他、螺子止め部と他の係合部を有する複数種類の係止部分で着脱自在に係止している構成をもってしてもよい。
或いは螺子止め部ではなく両者間を係合又は嵌着などする着脱自在の一般的に多用されている係止部を用いるものであってもよい。
又、ガイドシート４は樹脂製のシートが最適であり、シート地を用いるものの他フィルム地を用いるものであってもよい。
【００３０】
図３は、本考案に係るガイドシート４の一例を示す図である。
ガイドシートは抑え部と着脱自在に係止する略L字状に折り込んだ長尺短手幅の側壁部分である短手の面４１と抑え部の底部に位置すると共にこの底部を超えて下刃の端辺部分にまで及ぶ長尺長手幅のガイド部分である長手の面４２とを有する。
側壁部分の短手の面４１には抑え部３と着脱自在に係止するための孔を有する。
【００３１】
尚、孔を用いるのは一例を示すものであり、他の着脱自在の係止具をこの側壁部分の短手の面４１に有するものであってもよい。
更に本図では２か所有するがこの数に限らず１か所のものでも或いは３か所以上のものでもよい。
更にこのガイドシート４のガイド部である長手の面４２は下刃１０の端辺部分にまで及ぶ長尺長手幅を有するものであるが、予めこれ以上の長さを有するガイド部である長手の面４２を有するガードシート４を裁断機に装着し、カッター部２で裁断することにより下刃１０の端辺部分にまで及ぶ長手の面４２は長尺長手幅のガイド部を形成できるものであり、該部分がカッター部２による下刃１０と上刃２０の交差部分の裁断場所を特定できるものとなる。
【００３２】
図４は、本考案に係るガイドシートと螺子部と抑え部の装着状態を示すための図である。
従ってガイドシートを抑え部に螺子で螺子止めすることにより構成できるものである。
図５、図６、図７は、ガイドシート４を裁断機に装着したうえでカッター部２を用いてガイドシート４の長手の面４２の長尺長手幅のガイド部分を裁断箇所とするための手順の一例を示す図であり、下刃１０の端辺部分にまで及ぶ長尺長手幅のガイド部分を有するガイドシート４とするための一例を示す図である。
【００３３】
従って本考案上ガイドシート４は、略L字状に折り込んだ長尺短手幅の側壁部分からなる短手の面４１と長尺長手幅のガイド部分の長手の面４２とを有するものであればよいが、特に抑え部３と着脱自在に係止する短手の面４１と直角に折れ曲がった長手の面４２とを有するものであればよい。
この長さをきっちりと形成するための一例としてはこの長尺長手幅のガイド部分となる長手の面４２を予め長めに形成しておき、装着後にカッター部２を用いて裁断することにより下刃１０の端辺部分にまで及ぶ最適な長さである長尺長手幅のガイド部を形成できる。
【００３４】
即ち該裁断箇所が本裁断機の裁断位置となる。
従って図５は、該やや長めのガイドシート４を裁断機に装着した状態を示す図であり、ガイドシートの長手の面の長さを確実に上刃と下刃の裁断箇所にまで及ぶガイドシートを用いることにより開度部をガイド部を適切の表示できる裁断機のガイドシートを装着できるものである。
【００３５】
図６は、該装着状態でカッター部２を押し下げてガイドシート４０の上刃２０と下刃１０との擦れ合う接点の位置をガイドシート４の長手の面４２の裁断箇所を明確にし、この裁断部分である長尺長手幅のガイド部を表出させるためにカッター部２で裁断をしている状態の一例であり裁断途中時点での状態を示す図である。
図７は、カッター部２を一度押し下げて上刃２０と下刃１０とを擦れ合う部分で交差させたうえでカッター部２を引き上げた状態を示す図である。
従って下刃１０の端辺部分にまで及ぶ長尺長手幅のガイドシートのガイド部を示した長手の面４３を有している状態の一例を示す図である。
【００３６】
図８は、安全ガードカバー５を更に取り付けたうえでガイドシート４を装着した状態の一例を示す図である。
以上のように構成することによりガイドシート４で裁断箇所が明確となり、該ガイドシート４のガイド部の端辺部に被裁断物の裁断希望箇所を添わせて裁断することにより該箇所で裁断することができるものである。
従って裁断時のずれや裁断時の具体的な裁断箇所が不明となることがなくなり、誤った位置での裁断を行うことを防止できる。
【符号の説明】
【００３７】
１    載置台
１０  下刃
２    カッター部
２０  上刃
２１  把持
３    抑え部
３１  螺子部
３２  連結板
３３  突出棒
３５  ダンパー
４    ガイドシート
４１  短手の面
４２  長手の面
５    安全ガードカバー
【図１】
0003225627.tif 000003
【図２】
0003225627.tif 000004
【図３】
0003225627.tif 000005
【図４】
0003225627.tif 000006
【図５】
0003225627.tif 000007
【図６】
0003225627.tif 000008
【図７】
0003225627.tif 000009
【図８】
0003225627.tif 000010
【手続補正書】
【提出日】令和2年1月20日(2020.1.20)
【手続補正１】
【補正対象書類名】実用新案登録請求の範囲
【補正対象項目名】請求項３
【補正方法】変更
【補正の内容】
【請求項３】
抑え部３と長尺短手幅の側壁部分の短手の面４１との着脱自在の係止が少なくとも２か所以上の個所で係止具を用いて係止するものであることを特徴とする請求項２に記載の裁断機のガイドシート。
【手続補正２】
【補正対象書類名】実用新案登録請求の範囲
【補正対象項目名】請求項７
【補正方法】変更
【補正の内容】
【請求項７】
載置台１の下刃１０の端辺部を超える長さの長手の面４２を有するガイドシート４を裁断機に装着することを特徴とするとする請求項２に記載の裁断機のガイドシート。